(57)【要約】  電圧供給源（２２）の接続用の接続端子（２０）を備えたハウジング（１０）と、電動機（１４）と、内蔵動作制御ユニット（１６）と、内蔵動作制御ユニット（１６）及び据付けデータ処理ユニット（１８）の間で工具動作データ及び動作結果データを通信する無線通信装置（１７）とを有し、電圧供給源（２２）の遮断の発生時に、内蔵動作制御ユニット（１６）及び無線通信装置（１７）へ電圧を供給し続けるようにバックアップ電圧蓄積装置（２５）が設けられる携帯型電動工具。
2013538700.tif 000002
【特許請求の範囲】
【請求項１】
電圧供給源（２２）の接続用の接続端子（２０）を備えたハウジング（１０）と、電動機（１４）と、内蔵動作制御ユニット（１６）と、電動工具及び据付けデータ処理ユニット（１８）の間で動作データ及び動作結果データを通信する無線通信装置（１７）とを有する携帯型電動工具において、
電圧供給源（２２）の遮断の発生時に、電圧供給源（２２）の再接続後工具の動作状態を再構築するための遅れを減らすように内蔵動作制御ユニット（１６）及び無線通信装置（１７）へ電圧を供給し続けるように電動工具にバックアップ電圧蓄積装置（２５）が設けられること
を特徴とする携帯型電動工具。
【請求項２】
電圧供給源（２２）が単に遮断される際に、バックアップ電圧蓄積装置（２５）が電圧を供給するように設けられ、そして電圧供給源（２２）が再接続される際に、電圧供給源（２２）によって再充電されるように設けられていること
を特徴とする請求項１記載の携帯型電動工具。
【請求項３】
電圧供給源（２２）が再充電可能なバッテリーユニットであり、また接続端子（２０）がハウジング（１０）に形成したドッキング部分から成り、そして少なくとも二つの交換可能なバッテリーユニット（２２）の一つを受けるようにされていること
を特徴とする請求項１又は２記載の携帯型電動工具。
【請求項４】
バックアップ電圧蓄積装置（２５）が、ハウジング（１０）に取外し可能に装着した補助バッテリーユニットから成っていること
を特徴とする請求項１〜３のいずれか一項記載の携帯型電動工具。
【請求項５】
電圧供給源がケーブルを介して電動工具に接続した主給電システムであり、また接続端子がケーブル接続装置であること
を特徴とする請求項１又は２記載の携帯型電動工具。
【発明の詳細な説明】
【技術分野】
【０００１】
本発明は、電圧供給源を接続する接続端子を備えたハウジングと、電動機と、内蔵動作制御ユニットと、動作制御ユニット及び据付けデータ処理ユニットの間で工具動作データ及び動作結果データを通信する無線通信装置とを備えた携帯型電動工具に関するものである。
【０００２】
本発明は、無線通信装置及び動作制御ユニットが一時的に如何なる電圧供給もなしに置かれるような時々電圧供給源が遮断されるバッテリー及び主電源接続型電動工具に関する。
【背景技術】
【０００３】
先行技術の電動工具、例えばバッテリー給電型工具においては、電圧供給源すなわち電力バッテリーユニットを工具から外して、別の充電済みのバッテリーユニットを工具に接続し動力電圧供給を回復するまで、無線通信装置の動作及び工具動作の立ち上げを再構築する際の望ましくない遅れに関する問題があった。これは、無線通信装置及び制御ユニットが据付けデータ処理ユニットとの無線通信を立ち上げ、そして新しいバッテリーユニットを接続した後、工具を始動し、電圧を再び供給するのに１０〜１５秒を要するためである。電動工具の動作状態を再構築する際のこの遅れは、組立ラインに応用した場合には工具の生産性に負の影響を及ぼすので、あまりにも長すぎると考えられる。
【発明の概要】
【発明が解決しようとする課題】
【０００４】
本発明の目的は、内蔵制御ユニット及び無線通信装置を備えた携帯型電動工具において、電圧供給源の遮断時に、工具と据付けデータ処理ユニットとの間の無線通信における遅れ及び工具動作状態を再構築する際の遅れを実質的に減少することにより工具の生産性を改善することにある。
【０００５】
本発明の別の目的は、内蔵制御ユニット及び無線通信装置を備えた携帯型電動工具において、電圧供給源の遮断時に、動作制御ユニット及び無線通信装置への電圧供給を連続して維持することによりバッテリーユニットの交換後の立ち上げにおける遅れを実質的に減少する携帯型電動工具を提供することにある。
【０００６】
本発明のさらに別の目的及び利点は明細書の以下の説明及び特許請求の範囲の記載から明らかとなる。
【０００７】
以下、添付図面を参照して本発明の一実施形態について説明する。
【図面の簡単な説明】
【０００８】
図面は電気アングルレンチの形態の電動工具を示す。
【発明を実施するための形態】
【０００９】
図面には電気アングルレンチの形態の電動工具を示し、該電動工具は、アングルヘッド１１を備えたハウジング１０と、ナットソケット１３を備えた出力軸１２と、電動機１４とを有している。工具はさらに、略示した動作制御ユニット１６及び電動工具と離れた位置に据え付けたデータ処理ユニット１８との間で動作データ及び動作結果データを通信する無線通信装置１７を有している。図示したパワーレンチのハウジング１０は、再充電可能なバッテリーユニット２２を受けるドッキング部分２０を備えている。再充電可能なバッテリーユニット２２は、使用期間後にバッテリーユニットを再充電できる一つ以上の同じバッテリーユニットと交換可能である。
【００１０】
バッテリーユニット２２の取り外し時に、無線通信装置１７及び制御ユニット１６に電圧を供給（給電）し続けるために、バックアップ電圧蓄積装置２５が設けられる。このバックアップ電圧蓄積装置２５は補助バッテリーユニット又は任意の他の形式の利用可能な電圧蓄積手段例えばコンデンサ、スーパーＣＡＰ或いは任意の他の同様な装置であってもよい。
【００１１】
図示した電動工具はバッテリーユニットで給電されるが、本発明は主電源接続型の工具にも関するものであり、工具ハウジング１０には、バッテリードッキング部分２０の代わりに、主電源接続ケーブル用の図示していない接続装置が設けられる。また、電圧供給源として据付けの主給電網を備える電動工具では、無線通信装置１７及び制御ユニット１６に電圧供給（給電）をし続けて電圧供給（給電）ケーブルの一時的な分離の後でも工具を動作状態に戻す際の遅れを避けるようにすることは、電動工具による生産性を維持するために本質的なことである。従って、バックアップ電圧蓄積装置２５は、本発明のこの図示していない実施形態においても本質的な部分である。
【００１２】
本発明による電動工具はいずれも電圧供給源としてバッテリーユニットか又は主給電を使用しており、バックアップ電圧蓄積装置２５は、給電源が単に切り離されている期間中に無線通信装置１７及び制御ユニット１６に給電するように設けられるが、しかし給電源の再接続時には再充電されることになる。従って、バックアップ電圧蓄積装置２５は、給電源が次の機会に分離される際に、無線通信装置１７及び制御ユニット１６への給電を維持できるように常に十分に充電される。上記のように、バックアップ電圧蓄積装置２５は、補助バッテリーユニットの形態であることができ、そして工具のハウジングに内蔵構成要素として設けることができ、或いは工具を分解する必要なしに容易に交換できる取外し可能なモジュールとして設けることができる。
【符号の説明】
【００１３】
１０：ハウジング
１１：アングルヘッド
１２：出力軸
１３：ナットソケット
１４：電動機
１６：動作制御ユニット
１７：無線通信装置
１８：データ処理ユニット
２０：ドッキング部分
２２：再充電可能なバッテリーユニット
２５：バックアップ電圧蓄積装置
【図１】
2013538700.tif 000003
【国際調査報告】
2013538700.tif 000004
2013538700.tif 000005
2013538700.tif 000006